(57)【要約】【課題】シーツの上で患者を移動させても、シーツが滑る構成になっていることにより、床擦れも生ぜず、看護士や看護人が前屈みの状態で患者を抱えることがなく、従って腰痛なども生じない寝具用シーツを開発・提供するものである。【解決手段】敷布団やマットレスのそれぞれ表面と略同じ大きさになるよう裏面に縁折りしたシーツ本体（１）を設け、該シーツ本体（１）の表面の全部、あるいは一部を、サテン織りにし、該シーツ本体（１）の四隅には、それぞれ隣接する２つの辺に三角形状に渡し、敷布団（３）に係止する弾力性を有するベルト（２）を設け、シーツの素材が、ポリエステル糸、ナイロン糸である寝具用シーツ。【選択図】  図３
0003179898.tif 000002
【実用新案登録請求の範囲】
【請求項１】
敷布団やマットレスのそれぞれ表面と略同じ大きさの面積になるよう裏面を縁折りしたシーツ本体（１）を設け、該シーツ本体（１）の表面の全部、あるいは一部を、サテン織りにし、該シーツ本体（１）の四隅には、それぞれ隣接する２つの辺に三角形状に渡し、敷布団（３）に係止する弾力性を有するベルト（２）を設けたことを特徴とする寝具用シーツ。
【請求項２】
サテン織したシーツ本体（１）の素材が、ポリエステル糸、ナイロン糸から選ばれた糸であることを特徴とする請求項１記載の寝具用シーツ。
【考案の詳細な説明】
【技術分野】
【０００１】
この考案は、寝具用シーツに関するものである。
【背景技術】
【０００２】
従来、長期療養を要する病人や介護を必要とする者（以下、患者という。）は、病院、あるいは自宅にてベッドやふとんの上に横臥しており、該ベッドやふとんにはシーツが設けられており、衛生的な観点から汚れを防止するため、定期的に取り替えて使用するものである。
【０００３】
しかし、このシーツは、患者が寝返りを打ったりする際に、シーツの素材によってはシーツと身体とが摩擦により、床擦れが出来たり、また、シーツを取り替える際、患者をベット上の片側に移動させて、新しいシーツと取り替える作業をする際にも、看護士や介護人が、患者を持ち上げて移動させることがあり、腰を傷めてしまう場合がある。
【０００４】
そこで、シーツの上で、看護士や介護人が患者を抱え上げることなく、横向きに移動させても床擦れを生じない寝具用シーツの開発が求められている。
【０００５】
しかし、ベッドからストレッチャーへ病人を移動させるため、シーツにポリエチレン等の薄いフィルムを重ねたシーツは存在する。例えば、特許文献１のように。
【０００６】
しかし、この技術は、ベッド上面の略大半の面積と、ストレッチャー上面の略同等の面積を有する大型のシートであり、ポリエチレンフィルムをシーツの上面に重ねたものであれば、患者の体温で熱がポリエチレンフィルムに残り不快なものであった。
【０００７】
また、緯条として用いているシーツが存在している。例えば、特許文献２のように。
【０００８】
しかし、この内容の介護用シーツは、イ草を緯条として用いているものであり、二酸化窒素やホルムアルデヒドを吸収し、シックハウス症候群に対処することを目的としたものであり、患者に床擦れを生じさせないシーツではない。
【先行技術文献】
【特許文献】
【０００９】
【特許文献１】特開２００１−１７４７１号公報
【特許文献２】登録第３１６９５３３号実用新案公報
【考案の概要】
【考案が解決しようとする課題】
【００１０】
そこでこの考案は、シーツの上で患者を移動させても、シーツが滑る構成になっていることにより、床擦れも生ぜず、看護士や看護人が前屈みの状態で患者を抱えることがなく、従って腰痛なども生じない寝具用シーツを開発・提供するものである。
【課題を解決するための手段】
【００１１】
この考案である課題を解決するための手段は、シーツ本体の表面が、患者の身体と摩擦が少なくなるような材質の寝具用シーツを構成するものである。
【考案の効果】
【００１２】
この考案によると、シーツ本体（１）の表面を、サテンにしているため、滑りやすく、患者が床擦れを生ずることなく、また、看護士や介護人が、容易に患者を横に転がすように移動させても、滑るため、患者の皮膚等にダメッジがなく、また、シーツを取り替え易い等の極めて有益な効果を奏する。
【００１３】
シーツ本体（１）の四隅に、弾力性のある係止ベルト（３）を設けたので、寝具への装着が極めて簡単に行え、作業効率もよいし、仕事が楽である等の効果を奏する。
【図面の簡単な説明】
【００１４】
【図１】この考案の一実施例を示す平面図である。
【図２】この考案の一実施例を示す底面図である。
【図３】この考案の使用状態を示す側面図である。
【図４】この考案の他の実施例を示す平面図である。
【図５】この考案のさらに他の実施例を示す平面図である。
【図６】この考案のより、さらに他の実施例を示す平面図である。
【考案を実施するための形態】
【００１５】
以下、この考案について詳細に説明する。尚、この考案においては、下記の記述に限定されるものではなく、この考案の要旨を逸脱しない範囲においては適宜変更可能である。
【実施例】
【００１６】
この考案の一実施例を図面に基づいて詳述すると、シーツ本体（１）の表面を、サテン織りにし、該シーツ本体の四隅には、敷布団（３）に係止する弾力性を有するベルト（２）を設けたことを特徴とする寝具用シーツから構成される。
【００１７】
尚、サテンとは、繻子織や、朱子織のことであり、織物の三原組織の一つである繻子組織を用いた織物のことであり、通常、経糸（タテイト）が多く表に出ていて美しい光沢が出やすく、素材にポリエステルやナイロンなどの合成繊維を用いれば、滑りやすいものである。
【００１８】
また、シーツ本体（１）は、図１においては、表面全体をサテン織りしたものを示したが、図４に示すように、サテン織りの部分を、シーツの長手方向の先端から末端にかけて両端部を残し、中央部に形成したシーツ本体（１ａ）でもよく、さらに、図５に示すように、サテン織りの部分を、シーツの中心部に菱形部を形成したシーツ本体（１ｂ）でもよく、図６に示すように、サテン織りの部分を、シーツの四辺を除く中央部に形成したシーツ本体（１ｃ）であってもよいものである。
【００１９】
なお、シーツ本体（１）の表面のうち、サテン織り（図１，４，５，６においては、模様部分）の部分を、全面に施すのではなく、一部に構成することにより、敢えて、シーツ本体の表面の一部（要するに中央部）のみを滑り易く構成し、表面の他部（周囲部）は摩擦を生じるよう構成することもでき、これによって、滑り過ぎを防止して、患者がベット等で滑り落ちることを防止して安全を図るよう構成することも可能である。
【００２０】
このように、サテン織は、平織りに比べて比較的摩擦には弱いものである。ポリエステルのサテンは、シルクのサテンに比べれば、はるかに摩擦等には強い。コットン、ウール、ポリエステルやナイロンなどの合成繊維、キュプラ（ベンベルグ）などの再生繊維、全ての素材（糸の種類）で、サテン織りは可能である。
【産業上の利用可能性】
【００２１】
この考案によると、寝具用シーツの技術を確立し、実施・販売することにより産業上の利用可能性がある。
【符号の説明】
【００２２】
１  シーツ本体
１ａ  シーツ本体
１ｂ  シーツ本体
１ｃ    シーツ本体
２  ベルト
３  敷布団
【図１】
0003179898.tif 000003
【図２】
0003179898.tif 000004
【図３】
0003179898.tif 000005
【図４】
0003179898.tif 000006
【図５】
0003179898.tif 000007
【図６】
0003179898.tif 000008